(57)【要約】      （修正有）【課題】膨張させるべき目的物の内圧を表すように移動可能に受けられた圧力計を内部に備える空気ポンプを提供する。【解決手段】空気ポンプは、円筒状ケーシング(10)と、円筒状ケーシング(10)に移動可能に受け入れられた圧力計(30)と、円筒状ケーシング(10)に堅固に係合されて圧力計(30)に配置された空気ダクト(40)と、圧力計(30)内に受け入れられるチューブ(401)と、第2のＯリング(45)受け入れるための環状溝(44)を有するロッド(42)と、圧力計(30)の外側に配置された反跳スプリング(36)とを含む。第1のＯリング(35)が上方へ移動されるとき、円筒状ケーシング(10)と圧力計(30)とにより形成される空間内の空気は、圧力計(30)とチューブ(401)との間のギャップを経て流れると共に、ロッド(42)内のチャンネル(43)を経て空気ダクト(40)に流れ、さらに目的物内に流れる。【選択図】図２
0003115106.tif 000002
【実用新案登録請求の範囲】
【請求項１】
減少された底部開口(11)と頂部開口(12)とを有する円筒状の中空ケーシング(10)と、
該円筒状ケーシング(10)の前記頂部開口(12)に取り付けられた中空カバー(20)と、
前記円筒状ケーシング(10)の外に突出可能に前記円筒状ケーシング(10)に受け入れられた圧力計(30)であって第1のＯリング(35)を移動可能に受け入れるように外周に形成された溝(34)と該溝(34)を形成する底面に形成されたカットアウト(33)とを有する圧力計(30)と、
前記円筒状ケーシング(10)の前記頂部開口(11)の内面に堅固に係合するように前記圧力計(30)に確実に受け入れられた空気ダクト(40)と、
該空気ダクト(40)内及び前記圧力計(30)に受け入れられるように設けられたチューブ(401)と、
該チューブ(401)の頂部開口に堅固に取り付けられたロッド(42)であって第２のＯリング(45)を受け入れるように外周に形成された環状溝(44)を有するロッド(42)と、
前記圧力計(30)の下方移動に関連して前記第１のＯリング(35)が前記溝(34)の頂部外周に接するように上方に移動される状態において、前記圧力計(30)と前記円筒状ケーシング(10)とにより形成される空間内の空気が前記チューブ(401)と前記圧力計(30)との間のギャップを通り、ロッド(42)のチャンネル(43)を介して前記空気ダクト(40)に及び膨張させるべき目的物に流れ、また前記圧力計(30)が前記円筒状ケーシング(10)の外に延ばされる状態において、周囲の空気が前記中空カバー(20)を通って、前記第1のＯリング(35)により分割された空間であって前記円筒状ケーシング(10)と前記圧力計(30)との間の空間の上部と前記カットアウト(33)とに流れ、さらに引き続く膨張プロセスの準備ために前記円筒状ケーシング(10)と前記圧力計(30)とにより形成される空間の下部内に流れるように、前記圧力計(30)の外側に配置された反跳スプリング(36)であって、前記中空カバー(20)の底面に接する頂端と、前記円筒状ケーシング(10)の前記底部開口(11)を形成する内面に接する底部端とを有する反跳スプリング(36)とを含む、空気ポンプ。
【請求項２】
前記圧力計(30)はその外周に形成された複数のボス(32)を有し、
前記中空カバー(20)はこれの内面に形成された複数のスリット(21)を有し、
前記スリット(21)は、前記ボス(32)が前記中空カバー(20)の底面に接したとき、前記圧力計(30)が目的物内に後退されることを許し、また前記圧力計(30)に堅固に連結されたノズルプラグ(50)が回転されて、前記ボス(32)が前記スリット(21)と整列されたとき、前記圧力計(30)がこれの速やかな使用のために外方へ延ばされることを許し、
前記ノズルプラグ(50)は、これの回転を容易にするために頂面に形成された凹所(52)と、前記圧力計(30)の底部の内周に確実に係合された頂端を有するスプリング(41)と、前記ノズルプラグ(50)が回転された後、前記円筒状ケーシング(10)の外に前記圧力計(30)を突出させるように、前記円筒状ケーシング(10)の底部開口(11)を形成する内周に堅固に接触される底端とを備える、請求項1に記載の空気ポンプ。
【請求項３】
前記円筒状ケーシング(10)の底部開口(11)は、該底部開口(11)を形成する内面に形成された雌ねじ(13)であって針(81)の雄ねじ(81)と螺合する雌ねじ(13)を備える、請求項1又は2に記載の空気ポンプ。
【考案の詳細な説明】
【技術分野】
【０００１】
本考案は、空気ポンプに関し、特に膨張させるべき目的物の内圧を表すように移動可能に受けられた圧力計を内部に備える空気ポンプに関する。
【背景技術】
【０００２】
一般的な空気ポンプは、目的物を膨張させるという単一の機能だけを有する。膨張プロセスの間、作業者すなわち操作者は、目的物の内圧を測定する圧力計を使用しない限り、圧力が目的物の内部でどの程度上昇しているかを正確に知ることができない。すなわち、操作者は、目的物の内圧を測定して膨張プロセスを終了するように、２つの独立した要素を準備しなければならない。
【考案の開示】
【考案が解決しようとする課題】
【０００３】
そのような短所を解決するために、本考案は上記課題が低減するように改良された空気ポンプを提供することに向けられる。
【０００４】
本考案の主たる目的は、圧力計を内部に有する改良された空気ポンプを提供することにある。
【課題を解決するための手段】
【０００５】
本考案の1つの面において、圧力計は、目的物の外の空気を圧力計の直線移動により目的物内に送り込むことができるように、空気ポンプの内側に移動可能に受け入れられる。
【０００６】
上記目的を達成するために、本考案に係る空気ポンプは、以下の部材を含む。
【０００７】
減少する底部開口(11)と頂部開口(12)とを有する中空円筒状ケーシング(10)。
【０００８】
円筒状ケーシング(10)の頂部開口(12)に取り付けられた中空カバー(20)。
【０００９】
円筒状ケーシング(10)の外に選択的に伸びるように円筒状ケーシング(10)に移動可能に受け入れられた圧力計(30)であってその外周に形成されて第１のＯリング(33)を受け入れた溝(34とその溝(34)の底面に形成されたカットアウト(35)とを有する圧力計(30)。
【００１０】
中空ケーシングの底部開口(11)を形成する内面に堅固に係合するように圧力計(30)に安定的に受け入れられた空気ダクト(40)。
【００１１】
空気ダクト(40)を内部に受け入れておりまた圧力計(30)の内側に受け入れるように備えられたチューブ(401)。
【００１２】
チューブ(401)の頂部開口に堅固に取り付けられたロッド(42)であって第２のＯリング(45)を受け入れるように外周に形成された環状溝(44)を有するロッド(42)。
【００１３】
第1のＯリング(35)が溝(34)の頂部外周に接触するように圧力計(30)の下降に関して上方に移動される状態において、圧力計(30)と中空ケーシング(10)とにより形成される空間内の空気が圧力計(30)とチューブ(401)との間のギャップを流れて、ロッド(42)のチャンネル（４３）を介して空気ダクト(40)に及び膨張させるべき目的物に至り、また圧力計(30)が中空ケーシング(10)の外に伸びている状態において、引き続く膨張プロセスのための準備のために、周囲の空気が中空カバー(20)を介して、Ｏリング(35)により形成される圧力計(30)及び中空ケーシング(10)の間の空間の上部、圧力計(30)により形成される空間の下部に流れるように、圧力計(30)の外側に配置されたコイルバネ(36)であって中空カバー(20)の底面に接すると共に中空ケーシング(10)の底部開口(11)を形成する内面に接するコイルバネ(36)。
【００１４】
本考案の他の面において、圧力計(30)はその外周に形成された複数のボス(32)を有し、中空カバー(20)はその内面に形成された複数のスリット(21)を有し、その結果ボス(32)が中空カバー(20)の底面に接したとき、及びボス(32)がスリット(21)と整列したとき、圧力計(30)に堅固に連結されたノズルプラグ(50)が回転された後、圧力計(30)の使用に準備が整うように圧力計(30)が目的物の外側に延ばされる。
【００１５】
本考案の異なる面において、ノズルプラグ(50)は、これの回転を容易にするために頂面に形成された凹所(52)を備える。
【００１６】
本考案の他の異なる面において、スプリング(41)は、圧力計の底部内周と確実に係合された頂部端と、ノズルプラグ(50)が回転された後に中空ケーシング(10)の外に圧力計(30)を上昇させるために中空ケーシング(10)の底部開口(11)を形成する内周に確実に接触される底部端とを備える。
【００１７】
本考案のさらに他の面において、中空ケーシング(10)の底部開口(11)は、針(80)の雄ねじ(81)と螺合するように、底部開口(11)を形成する内面に形成された雌ねじ(13)を備える。
【考案の効果】
【００１８】
本考案によれば、ポンプとして作用するのみならず、目的物内の圧力を圧力計により知ることができる。
【考案を実施するための最良の形態】
【００１９】
図１及び図２を参照するに、本考案に従う空気ポンプは、中空の円筒状ケーシング１０と、中空カバー２０と、圧力計３０と、空気ダクト４０と、ノズルプラグ５０と、プラグ６０とを含む。
【００２０】
円筒状ケーシング１０は、減少された底部開口１１と、底部開口１１に連通する頂部開口１２とを有する。中空カバー２０は、円筒状ケーシング１０の頂部開口１２に取り付けられており、また中空カバー２０の内周に縦方向に形成された２つのスリット２１を有する。圧力計３０は、円筒状ケーシング１０内に移動可能に配置されており、また圧力計３０の外周に形成された目盛３１と、中空カバー２０のスリット２１に個々に対応するように外周に形成された２つの凸部すなわちボス３２と、第１のＯリング３５を内部に移動可能に受け入れるように圧力計３０の底部外周に環状に形成された溝３４と、溝３４を形成する底部外周に形成されたカットアウト３３とを含む。
【００２１】
空気ダクト４０は、頂部開口と底部開口とを備える。空気ダクト４０の底部は、円筒状ケーシング１０の底部開口１１を形成する内周に堅固に係合されている。チューブ４０１は、その中に空気ダクト４０を受け入れるように備えられている。スプリング４１は、圧力計３０の底部に内周に確実に係合された頂部端と、中空ケーシング１０の底部開口１１を形成する内周に確実に接する底部端とを有する。ロッド４２は、空気ダクト４０の頂部開口に安定的に取り付けられており、また空気ダクト４０の内部に連通するようにロッド４２を貫通して形成されたチャンネル４３と、第２のＯリング４５を内部に受け入れるように外周に形成された環状溝４４とを有する。
【００２２】
ノズルプラグ５０は、圧力計３０の頂部開口に堅固に係合するように中空カバー２０内に伸びる延長部５１と、その頂面に形成された凹所５２とを備える。プラグ６０は、ロッド４２と係合するように圧力計３０内に確実に受け入れられている。反跳スプリング３６は、圧力計３０の外側に配置されており、また中空カバー２０の底面に接する頂部端と、円筒状ケーシング１０の底部開口１１を形成する周囲に接する底部端とを有する。
【００２３】
図２及び図３を参照するに、使用時、空気ポンプは膨張させるべき目的物７０に完全かつ確実に受け入れられ、ノズルプラグ５０は、ボス３２を中空カバー２０の底部の周辺部に接触させて、圧力計３０と共にその目的物７０内に下げられる。すなわち、ノズルプラグ５０は、目的物７０の外周に刺される。このため、使用において、作業者すなわち操作者は、ノズルプラグ５０と圧力計３０とを確実に係合させるために、ノズルプラグ５０を圧力計３０と共に回転させるように凹所５２に適合されるスクリュードライバのような補助工具を使用することができる。ノズルプラグ５０と圧力計３０とが回転されると、各ボス３２は、中空カバー２０の底部外周から解放されて、中空カバー２０のスリット２１に整列される。それゆえに、図４，図５及び図６に示すように、両ボス３２は、スプリング４１からの反跳力のために、目的物７０の外周の外へ伸びるように圧力計３０をノズルプラグ５０と共に作動可能にするべく、両スリット２１に沿って移動される。圧力計３０が目的物７０の外周から外方へ延ばされることにより、圧力計３０は、反跳スプリング３６の反跳力と大気圧とがバランスするまで、目的物７０の外周から突出する。それゆえに、操作者は、目盛３１を読むことにより目的物７０内の圧力を知ることができる。
【００２４】
図４及び図６を参照するに、目的物７０内の圧力が不十分であると、操作者は圧力計３０を目的物７０内に向けて下方に押すことができる。その間、第１のＯリング３５は、圧力計３０の下方への移動にともなって溝３４の頂部外周に接するように、上方へ移動される。これにより、圧力計３０と円筒状ケーシング１０とにより形成される空間内の空気は、圧力計３０とチューブ４０１との間のギャップに流れると共に、ロッド４２のチャンネル４３を介して空気ダクト４０に流れる。結局、空気は目的物７０を膨張させるように目的物７０内に注入される。圧力計３０が円筒状ケーシング１０の外に延ばされる（引き出される）とき、目的物７０の外の空気は、引き続く膨張プロセスの準備のために、中空カバー２０、圧力計３０と円筒状ケーシング１０との間に第１のＯリング３５により形成される空間の上部、及びカットアウト３３を介して、圧力計３０と円筒状ケーシング１０とにより形成される空間の下部に流れる。
【００２５】
図７及び図８を参照するに、上記実施例と本質的に同じ機能を有する実施例が示されている。両実施例の相違は、円筒状ケーシング１０の減少された下部開口１１が内側ねじすなわち雌ねじ１３を備えているだけである。その結果、外側ねじすなわち雄ねじ８１を有する針８０は、雄ねじ８１を雌ねじ１３に螺合させることにより、円筒状ケーシング１０の底部開口１１にねじ的に結合させることができる。それゆえに、操作者は、本考案の空気ポンプに結合された針８０を目的物にその外から刺して膨張させるように、本考案の空気ポンプを使用することができる。
【００２６】
スプリング４１からの反跳力は、図３に示すように、圧力計３０を、これが中空カバー２０の底面に接して、ノズルプラグ５０が目的物７０の内部に隠れた状態に、維持するように圧力計３０に作用する。しかし、ノズルプラグ５０がボス３２を中空カバー２０の底面への接触から解放するように回転された後、反跳力はポンプとしての使用のために圧力計３０を目的物から突出させる。
【産業上の利用可能性】
【００２７】
本発明は、上記実施例に限定されず、その趣旨を逸脱しない限り、種々に変更することができる。
【図面の簡単な説明】
【００２８】
【図１】本考案に係る空気ポンプの斜視図である。
【図２】図1に示す空気ポンプの部品の相互関係を示す分解斜視図である。
【図３】空気ポンプの構成部材の結合関係とその適用状態とを示す縦断面図である。
【図４】圧力計が中空カバーからノズルプラグが開放されるように回転された後に、ノズルプラグがスプリングの力により上昇される状態を示す縦断面図である。
【図５】空気ポンプの適用のための準備ができた状態を示す斜視図である。
【図６】図5に示す空気ポンプの縦断面図である。
【図７】針を使用する空気ポンプの他の実施例の斜視図である。
【図８】図7に示す空気ポンプの部品の結合を示す縦断面図である。
【符号の説明】
【００２９】
１０  円筒状ケーシング
１１  底部開口
１２  頂部開口
１３  雌ねじ
２０  中空カバー
２１  スリット
３０  圧力計
３１  目盛
３２  ボス
３３  カットアウト
３４，４４  溝
３５  第1のＯリング
３６  反跳スプリング
４０  空気ダクト
４０１  チューブ
４１  スプリング
４２  ロッド
４３  チャンネル
４５  第２のＯリング
５０  ノズルプラグ
５１  延長部
５２  凹所
６０  プラグ
７０  目的物
８０  針
８１  雄ねじ
【図１】
0003115106.tif 000003
【図２】
0003115106.tif 000004
【図３】
0003115106.tif 000005
【図４】
0003115106.tif 000006
【図５】
0003115106.tif 000007
【図６】
0003115106.tif 000008
【図７】
0003115106.tif 000009
【図８】
0003115106.tif 000010